(57)【要約】【課題】  居室親機からエレベータコールした際に、居室親機においてエレベータの現在位置を把握できる集合住宅インターホンシステムを提供する【解決手段】  集合玄関機１、居室親機２、集合玄関機１と居室親機２との間の通信を制御するインターホン制御機４とを備え、インターホン制御機４が集合住宅内のエレベータ６を制御するエレベータ制御機７と接続されており、居室親機２からエレベータコールが可能であり、居室親機２のエレベータコールボタン２２ｂが操作されてコール信号がエレベータ制御機７に送信されると、エレベータ制御機７からエレベータ６の現在位置及び移動方向の情報が返信され、居室親機２はエレベータ制御機７から返信された情報を表示する表示部２１を有する。【選択図】  図２
2020155964.tif 000002
【特許請求の範囲】
【請求項１】
住戸を選択して居住者を呼び出すための集合玄関機と、個々の住戸に設置されて来訪者からの呼び出しに応答するための居室親機と、前記集合玄関機と前記居室親機との間の通信を制御するインターホン制御機とを備え、前記インターホン制御機が集合住宅内のエレベータを制御するエレベータ制御機と接続されており、前記居室親機からエレベータコールが可能な集合住宅インターホンシステムであって、
前記居室親機のエレベータコールボタンが操作されてコール信号がエレベータ制御機に送信されると、前記エレベータ制御機からエレベータの現在位置及び移動方向の情報を含むエレベータ情報が返信され、
前記居室親機は、前記エレベータ制御機から返信された情報を表示する表示部を有することを特徴とする集合住宅インターホンシステム。
【請求項２】
前記エレベータ制御機は、エレベータコールを行った住戸のフロアにエレベータが到着するまでの時間を演算する時間算出部を有し、
前記エレベータ情報には、前記時間算出部が算出した時間情報が含まれることを特徴とする請求項１記載の集合住宅インターホンシステム。
【請求項３】
複数のエレベータが設置されていると共に、前記居室親機にはエレベータの専用使用が可能な専用コールボタンが設けられ、
前記エレベータ制御機は、前記専用コールボタンが操作されたら、他の居住者からエレベータコールを受けていても前記専用コールボタンによるエレベータコールを優先することを特徴とする請求項１又は２記載の集合住宅インターホンシステム。
【請求項４】
前記エレベータ制御機は、前記専用コールボタンによる呼び出しを受けたら、コールされたフロアへ移動させるエレベータの現在位置及び移動方向の情報を返信し、
前記居室親機は前記表示部に返信された情報を表示することを特徴とする請求項３記載の集合住宅インターホンシステム。
【請求項５】
住戸を選択して居住者を呼び出すための集合玄関機と、個々の住戸に設置されて来訪者からの呼び出しに応答するための居室親機と、前記集合玄関機と前記居室親機との間の通信を制御するインターホン制御機とを備え、前記インターホン制御機が集合住宅内のエレベータを制御するエレベータ制御機と接続されており、前記居室親機からエレベータコールが可能な集合住宅インターホンシステムであって、
前記居室親機は、エレベータの現在の状態を把握するためのエレベータモニタボタンを有し、
前記エレベータモニタボタンが操作されると、前記エレベータ制御機からエレベータの現在位置及び移動方向の情報が前記居室親機に送信され、
前記居室親機は、送信されたエレベータの情報が表示する表示部を有することを特徴とする集合住宅インターホンシステム。
【発明の詳細な説明】
【技術分野】
【０００１】
本発明は集合住宅インターホンシステムに関し、特に居室親機にエレベータコール機能を備えた集合住宅インターホンシステムに関する。
【背景技術】
【０００２】
従来より、居室親機にエレベータコール機能を備えた集合住宅インターホンシステムがある。例えば特許文献１では、居室親機に設けたエレベータコールボタンが押されると、エレベータ制御機がコールされたフロアへエレベータの移動制御を行い、更にエレベータ内に設置されたカメラの撮像映像が居室親機に送信されて表示された。
【先行技術文献】
【特許文献】
【０００３】
【特許文献１】特開２００６−１５４８８６号公報
【発明の概要】
【発明が解決しようとする課題】
【０００４】
上記従来の集合住宅インターホンシステムは、居室親機の操作でエレベータコールができるため、エレベータの待ち時間を減らすことができ便利であった。
しかしながら、コールしたエレベータの現在位置が把握できなかったため、エレベータコールしてエレベータホールに行っても、エレベータが思ってた位置に無いことで待ち時間が長く感じられる場合があり、利用者が満足するシステムには至っていなかった。
【０００５】
そこで、本発明はこのような問題点に鑑み、居室親機からエレベータコールをした際に、居室親機においてエレベータの現在位置を把握できる集合住宅インターホンシステムを提供することを目的としている。
【課題を解決するための手段】
【０００６】
上記課題を解決する為に、請求項１の発明は、住戸を選択して居住者を呼び出すための集合玄関機と、個々の住戸に設置されて来訪者からの呼び出しに応答するための居室親機と、集合玄関機と居室親機との間の通信を制御するインターホン制御機とを備え、インターホン制御機が集合住宅内のエレベータを制御するエレベータ制御機と接続されており、居室親機からエレベータコールが可能な集合住宅インターホンシステムであって、居室親機のエレベータコールボタンが操作されてコール信号がエレベータ制御機に送信されると、エレベータ制御機からエレベータの現在位置及び移動方向の情報を含むエレベータ情報が返信され、居室親機は、エレベータ制御機から返信された情報を表示する表示部を有することを特徴とする。
この構成によれば、エレベータコールした居住者は、エレベータの現在の状態を居室親機の表示で認識できるため、エレベータが到着するおおよその時間を予想でき、利便性が良い。
【０００７】
請求項２の発明は、請求項１に記載の構成において、エレベータ制御機は、エレベータコールを行った住戸のフロアにエレベータが到着するまでの時間を演算する時間算出部を有し、エレベータ情報には、時間算出部が算出した時間情報が含まれることを特徴とする。
この構成によれば、エレベータが到着するまでの時間情報が居室親機に表示されるため、到着時間に合わせて行動でき、利用者はストレスを抱くことが無い。
【０００８】
請求項３の発明は、請求項１又は２に記載の構成において、複数のエレベータが設置されていると共に、居室親機にはエレベータの専用使用が可能な専用コールボタンが設けられ、エレベータ制御機は、専用コールボタンが操作されたら、他の居住者からエレベータコールを受けていても専用コールボタンによるエレベータコールを優先することを特徴とする。
この構成によれば、専用コールボタンによりエレベータの専用使用ができるため、緊急時に便利である。
【０００９】
請求項４の発明は、請求項３に記載の構成において、エレベータ制御機は、専用コールボタンによる呼び出しを受けたら、コールされたフロアへ移動させるエレベータの現在位置及び移動方向の情報を返信し、居室親機は表示部に返信された情報を表示することを特徴とする。
この構成によれば、エレベータの現在の状態を認識できるため、エレベータが到着するおおよその時間を予想でき、利便性が良い。
【００１０】
請求項５の発明は、住戸を選択して居住者を呼び出すための集合玄関機と、個々の住戸に設置されて来訪者からの呼び出しに応答するための居室親機と、集合玄関機と居室親機との間の通信を制御するインターホン制御機とを備え、インターホン制御機が集合住宅内のエレベータを制御するエレベータ制御機と接続されており、居室親機からエレベータコールが可能な集合住宅インターホンシステムであって、居室親機は、エレベータの現在の状態を把握するためのエレベータモニタボタンを有し、エレベータモニタボタンが操作されると、エレベータ制御機からエレベータの現在位置及び移動方向の情報が居室親機に送信され、居室親機は送信されたエレベータの情報が表示する表示部を有することを特徴とする。
この構成によれば、エレベータの現在の状態が居室親機に表示されるため、居住者はその情報を見てエレベータコールを今すべきか、しばらく待つべきか、更にはエレベータを使用せずに階段を使用すべきかを選択することができ、時間を有効利用できストレスを抱くことが無くなる。
【発明の効果】
【００１１】
本発明によれば、エレベータコールした居住者は、エレベータの現在の状態を居室親機の表示により認識できるため、エレベータが到着するおおよその時間を予想でき、利便性が良い。
【図面の簡単な説明】
【００１２】
【図１】本発明に係る集合住宅インターホンシステムの一例を示す構成図である。
【図２】居室親機のブロック図である。
【図３】インターホン制御機のブロック図である。
【図４】エレベータ制御機のブロック図である。
【図５】エレベータコールした場合の居室親機の表示を示す画面図である。
【図６】エレベータモニタボタンが操作された場合の居室親機の表示を示す画面図である。
【発明を実施するための形態】
【００１３】
以下、本発明を具体化した実施の形態を、図面を参照して詳細に説明する。図１は本発明に係る集合住宅インターホンシステムの一例を示す構成図であり、１は集合住宅のエントランスに設置されて来訪者が居住者を呼び出すための集合玄関機、２は各住戸に設置されて来訪者からの呼び出しに応答するための居室親機、３は管理室に設置される管理室親機、４は集合玄関機１、居室親機２、管理室親機３の間の通信を制御するインターホン制御機、５は住戸玄関に設置されて居住者を呼び出すための玄関子機、６はエレベータ、７はエレベータ６を制御するエレベータ制御機である。
【００１４】
集合玄関機１、管理室親機３はそれぞれ伝送線Ｌ１，Ｌ２を介してインターホン制御機４に接続され、居室親機２は親機幹線Ｌ３によりインターホン制御機４に接続されている。また、玄関子機５は住戸毎に伝送線Ｌ４を介して居室親機２に接続され、エレベータ制御機７とインターホン制御機４とは伝送線Ｌ５により接続されている。
尚、ここではエレベータ６が２機（第１エレベータ６ａ、第２エレベータ６ｂ）設置された構成を示し、エレベータ制御機７がこの２機のエレベータ６を制御する。
【００１５】
集合玄関機１は、カメラ１１、操作部１２、通話のためのマイク１３ａ及びスピーカ１３ｂ、呼出ボタン１４を備え、操作部１２が操作されて訪問先の住戸が選択され、呼出操作されると、カメラ１１が起動して来訪者が撮像され、呼出信号と共に、この撮像映像が呼出先の居室親機２に送信される。
【００１６】
図２は居室親機２のブロック図を示し、カメラ１１の撮像映像及び各種情報を表示する表示部２１、呼出を受けて応答操作する通話ボタン２２ａ、エレベータ６を自住戸のあるフロアに移動させるためのエレベータコールボタン２２ｂ、専用コールボタン２２ｃ、更にエレベータの現在の状態を把握するためのエレベータモニタボタン２２ｄ等を備えた操作部２２、マイク２３ａ及びスピーカ２３ｂを備えた通話部２３、居室親機２を制御する親機ＣＰＵ２５、インターホン制御機４と通信する親機通信ＩＦ２６等を備えている。表示部２１は操作部２２の一部を成して、所定の操作でエレベータコールボタン２２ｂ、専用コールボタン２２ｃが表示され操作が可能となる。
【００１７】
図３はインターホン制御機４のブロック図を示している。インターホン制御機４は、住戸番号と居室親機２との関係を記憶する居室親機情報記憶部４１、居室親機２の設置フロアを記憶するフロア情報記憶部４２、機器間の通信を制御するインターホン制御機ＣＰＵ４３、各インターホン機器と通信する第１通信ＩＦ４４、エレベータ制御機７と通信する第２通信ＩＦ４５等を備えている。  
【００１８】
図４はエレベータ制御機７のブロック図を示している。エレベータ制御機７は、エレベータ６の制御プログラムを記憶する動作管理部７１、エレベータ６がコールされたフロアに到着するまでの時間を演算する移動時間演算部７２、エレベータ６の移動を制御するエレベータ制御機ＣＰＵ７３、インターホン制御機４と通信するエレベータ制御機通信ＩＦ７４等を備えている。
【００１９】
上記の如く構成された集合住宅インターホンシステムの動作は以下の様である。但し、集合玄関機１を操作して住戸を選択して居住者を呼び出す操作、呼出操作によりカメラが起動して呼出先の居室親機２で表示され、居室親機２の応答操作により通話が可能となる動作等は従来と同様であるため説明は省略し、ここでは居室親機２を操作してエレベータコールした場合、またエレベータ６の情報を入手する操作をした場合の動作を説明する。
【００２０】
まず、エレベータコールについて説明する。図２に示したように、居室親機２にはエレベータコールボタン２２ｂ、専用コールボタン２２ｃと２つのコールボタンがあり、まずエレベータコールボタン２２ｂが操作された場合を説明する。但し、ここでは集合住宅は１０階から成り、エレベータコールされたフロアが５階の場合を例に説明する。
５階のフロアにある例えば「５０１」号住戸の居室親機２のエレベータコールボタン２２ｂが操作されたら、親機ＣＰＵ２５はコール信号を生成してインターホン制御機４に出力する。
【００２１】
コール信号を受信したインターホン制御機４では、インターホン制御機ＣＰＵ４３の制御により、コール信号に含まれる居室親機２のＩＤ情報からフロア情報記憶部４２を参照して５階であることが把握され、この呼出元のフロア情報をコール信号に添付してエレベータ制御機７に送信される。
【００２２】
このコール信号をインターホン制御機４から受信したエレベータ制御機７では、エレベータ制御機ＣＰＵ７３の制御により、動作管理部７１のプログラムに従い一方のエレベータ６を選択して５階へ誘導する制御が行われる。
同時に移動時間演算部７２が、誘導するエレベータ６の現在の場所及び移動方向等の情報を基に５階まで移動するのに要する時間を算出し、インターホン制御機４を介して５０１号室の居室親機２へ算出した時間情報がエレベータ６の移動情報と共に返信される。
この時間情報及びエレベータ６の移動情報を受信した居室親機２では、親機ＣＰＵ２５の制御により表示部２１に受信したエレベータ情報が表示される。
【００２３】
図５は、こうして表示部２１に表示されたエレベータ情報を示している。図５に示すように、５階に来るエレベータは第１エレベータ６ａであることがＤ１の表示から認識でき、現在８階にあって上昇中であり、９階に上がってから下降して６階に停止し、その後５階に来ることがＤ４，Ｄ２の表示からわかる。更に到着までに要する時間が２分２５秒であることがＤ３の表示から認識できる。
尚、「確認」の表示部Ｄ５は操作ボタンであり、タッチすると表示が消える。また、Ｄ４の表示において、エレベータ６の進行方向が三角の矢印がハッチングされて示されているが、実際には矢印が赤色等で表示される。
【００２４】
このように、エレベータコールボタン２２ｂを操作した居住者は、エレベータ６の現在の状態、及びエレベータ６が到着するまでの時間情報が居室親機２に表示されるため、到着時間に合わせて行動でき、利用者はストレスを抱くことが無い。
【００２５】
尚、この実施形態では、エレベータ６の現在の状態に加えて、エレベータ６が到着するまでの予定時間まで居室親機２に表示させているが、現在位置のみを表示し、予定時間まで表示しなくてもい。現在位置の表示のみでも居住者はエレベータが到着するおおよその時間を予想でき、利便性が良い。
また、コール信号を受信したインターホン制御機４が、呼出元のフロア情報を添付してエレベータ制御機７に通知しているが、居室親機２から送信されるコール信号自体にフロア情報を含ませても良い。この場合、インターホン制御機４はコール信号をエレベータ制御機７に転送するだけで良い。
【００２６】
次に、専用コールボタン２２ｃが操作された場合を説明する。エレベータ６が複数ある場合には、他の利用者がエレベータコールボタン２２ｂを操作した場合でも、専用動作するエレベータ６を設けることが可能となる。ここでは、エレベータ６を２機備えており、この構成において専用コールボタン２２ｃが操作された場合を説明する。
居室親機２の専用コールボタン２２ｃが操作されると、２機のエレベータ６のうち動作管理部７１により設定されている所定の条件を満たす一方が選択され、その一方のエレベータ６が専用コールされたフロアへ移動する。
【００２７】
ここで、所定の条件を説明する。まず、２機のエレベータ６は互いに異なるフロア或いは異なる住戸に紐づけされている。そのため、専用コールボタン２２ｃが操作された際に２機とも例えばエントランスフロア等同一フロアで停止状態にある場合は、コール操作された居室親機２に紐づけされている一方のエレベータ６が選択され、選択されたエレベータがコールされたフロアへ移動する。
但し、紐づけされている一方が使用中（移動中）であったら、停止している他方のエレベータ６がコールされたフロアに移動する。
また、２機とも使用中の場合は、移動先がコール操作された住戸に近い等の条件を満たすエレベータ６が選択される。
【００２８】
こうして専用動作するエレベータが決定したら、エレベータコールボタン２２ｂの操作の場合と同様に、移動時間演算部７２が目的のフロアに到着するまでの時間を算出し、この時間情報等がエレベータ６の移動情報と共に返信され、居室親機２の表示部２１に表示される。この場合、上記図５と同様に表示されるが、途中停止するフロアは無いため、Ｄ２の表示は無い。
尚、選択されなかったエレベータ６は、コール順に従い移動を継続する。
【００２９】
このように、専用コールボタン２２ｃによりエレベータ６の専用使用ができるため、緊急時に便利である。そして、エレベータ６の現在の状態、更に到着までの時間を認識できるため、利用者はストレスを抱くことが無い。
【００３０】
次に、エレベータモニタボタン２２ｄが操作された場合を説明する。エレベータモニタボタン２２ｄが操作されると、親機ＣＰＵ２５がエレベータ制御機７からエレベータ６の現在の状態に関する情報を入手して表示部２１に表示させる。
図６は、エレベータモニタボタン２２ｄの操作を受けてエレベータ６の状態を表示した表示部２１を示しており、Ｄ６の表示が第１エレベータの状態を示し、Ｄ７の表示が第２エレベータの状態を示している。この表示から、第１エレベータ６ａは８階にあって上方に移動中であり、第２エレベータ６ｂは３階にあって下方に移動中であることがわかる。
【００３１】
このように、エレベータ６の現在の状態が居室親機２に表示されるため、居住者はその情報を見てエレベータコールを今すべきか、しばらく待つべきか、更にはエレベータ６を使用せずに階段を使用すべきかを選択することができ、時間を有効利用できストレスを抱くことが無くなる。
【００３２】
尚、図６では、２機あるエレベータ６の現在の状態を表示しているだけであるが、エレベータ制御機７に１日の利用データを時間帯別に蓄積させて、混雑する時間帯情報を居室親機２に合わせて表示させても良く、利用者にとっては利便性が良い。
【符号の説明】
【００３３】
１・・集合玄関機、２・・居室親機、４・・インターホン制御機、６・・エレベータ、７・・エレベータ制御機、２１・・表示部、２２・・操作部、２２ｂ・・エレベータコールボタン、２２ｃ・・専用コールボタン、２２ｄ・・エレベータモニタボタン、２５・・親機ＣＰＵ、７２・・移動時間演算部（時間算出部）、７３・・エレベータ制御機ＣＰＵ。
【図１】
2020155964.tif 000003
【図２】
2020155964.tif 000004
【図３】
2020155964.tif 000005
【図４】
2020155964.tif 000006
【図５】
2020155964.tif 000007
【図６】
2020155964.tif 000008